【手続補正書】
【提出日】平成24年6月27日(2012.6.27)
【手続補正１】
【補正対象書類名】特許請求の範囲
【補正対象項目名】全文
【補正方法】変更
【補正の内容】
【特許請求の範囲】
【請求項１】
被検眼の眼底画像から合焦検出範囲を決定する決定手段と、
前記合焦検出範囲の輝度信号に基づいて、合焦レンズを光路に沿って移動させる制御手段と、
を有することを特徴とする眼科撮影装置。
【請求項２】
前記被検眼の眼底の特定位置を検出する検出手段を有し、
前記決定手段が、前記検出された特定位置に基づいて、前記合焦検出範囲を決定することを特徴とする請求項１に記載の眼科撮影装置。
【請求項３】
前記検出手段が、前記眼底画像における血管部と乳頭部とのうちいずれか一方を前記特定位置として検出し、
前記決定手段が、前記検出された特定位置を含む範囲を前記合焦検出範囲として決定することを特徴とする請求項２に記載の眼科撮影装置。
【請求項４】
前記検出手段が、前記眼底画像における黄斑部から所定の角度及び所定の距離の位置を前記特定位置として検出することを特徴とする請求項２あるいは３に記載の眼科撮影装置。
【請求項５】
前記被検眼に固視標を提示する固視標提示手段と、
前記被検眼が左右眼のいずれであるかを検出する左右眼検出手段と、を有し、
前記黄斑部は、前記提示された固視標に対応する前記被検眼の固視位置であり、
前記検出手段が、前記左右眼検出手段の検出結果に応じて、前記特定位置を検出することを特徴とする請求項４に記載の眼科撮影装置。
【請求項６】
前記合焦レンズを含む光学部が設けられ且つ基台に対して可動する架台を有し、
前記左右眼検出手段が、前記基台に対する前記架台の位置に応じて、前記被検眼が左右眼のいずれであるかを検出することを特徴とする請求項５に記載の眼科撮影装置。
【請求項７】
前記制御手段により前記合焦レンズを前記光路に沿って移動させながら、該光路における該合焦レンズの各位置で前記合焦検出範囲の輝度信号を取得する取得手段を有し、
前記制御手段が、前記合焦検出範囲の輝度信号が所定の条件を満たす位置に、前記合焦レンズを移動させることを特徴とする請求項１乃至６のいずれか１項に記載の眼科撮影装置。
【請求項８】
前記取得手段が、前記合焦検出範囲の輝度信号に基づいて、前記合焦レンズの合焦状態を示す値を取得し、
前記制御手段が、前記合焦状態を示す値が所定の条件を満たす位置に、前記合焦レンズを移動させることを特徴とする請求項７に記載の眼科撮影装置。
【請求項９】
前記取得手段が、前記合焦検出範囲の輝度信号の周波数成分に基づいて、前記合焦状態を示す値を取得することを特徴とする請求項８に記載の眼科撮影装置。
【請求項１０】
前記被検眼の眼底を撮像する撮像手段を有し、
前記取得手段が、前記眼底画像における中大血管部を含む範囲について、前記撮像手段における隣の画素との輝度差を前記合焦レンズの合焦状態を示す値として取得することを特徴とする請求項７乃至９のいずれか１項に記載の眼科撮影装置。
【請求項１１】
前記被検眼の眼底を撮像する撮像手段を有し、
前記取得手段が、前記眼底画像における血管部の方向に基づいて、該血管部を含む範囲について、前記撮像手段における隣の画素に対する輝度差を前記合焦レンズの合焦状態を示す値として取得することを特徴とする請求項７乃至９のいずれか１項に記載の眼科撮影装置。
【請求項１２】
前記被検眼の眼底の部位を選択する部位選択手段を有し、
前記決定手段が、前記選択された部位に基づいて、前記合焦検出範囲を決定することを特徴とする請求項１乃至１１のいずれか１項に記載の眼科撮影装置。
【請求項１３】
前記合焦検出範囲を示す表示形態を前記眼底画像に対応させた状態で表示手段に表示させる表示制御手段を有することを特徴とする請求項１乃至１２のいずれか１項に記載の眼科撮影装置。
【請求項１４】
前記合焦検出範囲の大きさを変更する指示を行う指示手段を有し、
前記制御手段が、前記変更された大きさの合焦検出範囲の輝度信号に基づいて、前記合焦レンズを前記光路に沿って移動させることを特徴とする請求項１乃至１３のいずれか１項に記載の眼科撮影装置。
【請求項１５】
前記表示制御手段が、前記眼底画像における複数の領域を示す表示形態を前記表示手段に表示させ、
前記決定手段が、前記複数の領域から少なくとも１つの領域を選択する合焦検出範囲選択手段を有し、該選択された領域を前記合焦検出範囲として決定することを特徴とする請求項１３あるいは１４に記載の眼科撮影装置。
【請求項１６】
前記決定手段が、前記眼底画像における複数の領域それぞれの前記合焦レンズの合焦状態を示す値に基づいて、前記複数の領域から少なくとも１つの領域を前記合焦検出範囲として決定することを特徴とする請求項１乃至１４のいずれか１項に記載の眼科撮影装置。
【請求項１７】
前記制御手段が、
前記合焦検出範囲の輝度信号に基づいて、光源から発生される光量を調整し、
前記調整された光量による前記合焦検出範囲の輝度信号に基づいて、前記合焦レンズを前記光路に沿って移動させることを特徴とする請求項１乃至１６のいずれか１項に記載の眼科撮影装置。
【請求項１８】
被検眼の眼底画像から合焦検出範囲を決定する決定手段と、
前記合焦検出範囲の輝度信号に基づいて、光源から発生される光量を調整する制御手段と、
を有することを特徴とする眼科撮影装置。
【請求項１９】
前記合焦検出範囲の輝度信号が飽和しているか否かを判断する判断手段を有し、
前記判断手段が前記合焦検出範囲の輝度信号が飽和していると判断した場合に、前記制御手段が前記合焦検出範囲の輝度信号に基づいて、光源から発生される光量を調整することを特徴とする請求項１７あるいは１８に記載の眼科撮影装置。
【請求項２０】
被検眼の眼底画像から合焦検出範囲を決定する工程と、
前記合焦検出範囲の輝度信号に基づいて、合焦レンズを光路に沿って移動させる工程と、
を有することを特徴とする眼科撮影方法。
【請求項２１】
前記被検眼の眼底の特定位置を検出する工程を有し、
前記決定する工程では、前記検出された特定位置に基づいて、前記合焦検出範囲を決定することを特徴とする請求項２０に記載の眼科撮影方法。
【請求項２２】
前記検出する工程では、前記眼底画像における血管部と乳頭部とのうちいずれか一方を前記特定位置として検出し、
前記決定する工程では、前記検出された特定位置を含む範囲を前記合焦検出範囲として決定することを特徴とする請求項２１に記載の眼科撮影方法。
【請求項２３】
前記検出する工程では、前記眼底画像における黄斑部から所定の角度及び所定の距離の位置を前記特定位置として検出することを特徴とする請求項２１あるいは２２に記載の眼科撮影方法。
【請求項２４】
請求項２０乃至２３のいずれか１項に記載の眼科撮影方法の各工程をコンピュータに実行させることを特徴とするプログラム。
【手続補正２】
【補正対象書類名】明細書
【補正対象項目名】００１１
【補正方法】変更
【補正の内容】
【００１１】
上記目的を達成するための本発明に係る眼科撮影装置は、
被検眼の眼底画像から合焦検出範囲を決定する決定手段と、
前記合焦検出範囲の輝度信号に基づいて、合焦レンズを光路に沿って移動させる制御手段と、
を有することを特徴とする。
また、本発明に係る眼科撮影方法は、
被検眼の眼底画像から合焦検出範囲を決定する工程と、
前記合焦検出範囲の輝度信号に基づいて、合焦レンズを光路に沿って移動させる工程と、
を有することを特徴とする。
【手続補正３】
【補正対象書類名】明細書
【補正対象項目名】発明の名称
【補正方法】変更
【補正の内容】
【発明の名称】眼科撮影装置及びその方法
【手続補正４】
【補正対象書類名】明細書
【補正対象項目名】０００１
【補正方法】変更
【補正の内容】
【０００１】
本発明は、例えば眼科医院や集団健診等で用いられ、被検眼の眼底を撮影する眼科撮影装置及びその方法に関する。